(57)【要約】【課題】内部に腕を入れた状態で腕の位置を安定させることで、グローブから腕が抜けにくいものとし、被介護者とベッドの間に腕をよりスムーズに入れ込むことができる介助用グローブを提供する。【解決手段】細長い介助用グローブ１０を一端側のみが開口し、開口部１２から内部に腕１６を挿入することで、少なくとも肘１８近傍までを覆うことができ、他端側先端に、所定範囲に渡って、フラップ部１４を形成させた。【選択図】図２
0003200801.tif 000002
【実用新案登録請求の範囲】
【請求項１】
一端側のみが開口し、当該開口部分から内部に腕を挿入することで、少なくとも肘部近傍までを覆うことができる細長い介助用グローブにおいて、
当該介助用グローブは、他端側先端に、所定範囲に渡って、フラップ部が形成されていることを特徴とする介助用グローブ。
【請求項２】
前記介助用グローブは、他端側近傍の内部に、前記開口部分から腕を挿入した際に、その挿入方向から任意の指を挿置可能とする内ポケット部が形成されていることを特徴とする請求項１記載の介助用グローブ。
【請求項３】
前記フラップ部は、その外縁が円弧状に形成されていることを特徴とする請求項１又は２記載の介助用グローブ。
【考案の詳細な説明】
【技術分野】
【０００１】
本考案は、介護者が被介護者の介助を行う際に装着する介助用グローブに関するものである。
【背景技術】
【０００２】
従来から、介護業界等において、ベッドなどに寝ている被介護者の体位変換、背抜き、車椅子への移動といった介助作業を介護者が行う際に、介助用グローブといったものが用いられている。例えば、一般的なものとして、図１０に示すように、一端が開口し、その開口部分５２から腕５４を挿入して用いる細長い介助用グローブ５０が知られている。この介助用グローブ５０に腕を挿入した状態で、被介護者とベッドの間に腕を入れ込み、介助作業を行えば、安全、且つ、楽なものになるとされている。
【０００３】
その他、例えば、特許文献１には、手を挿入する本体部と、手を挿入する本体部と、前腕の少なくとも半分を覆う裾部とを有する介護用手袋であって、 手袋は、メッシュ部材から構成された通気部を有し、通気部が、本体部から裾部にかけて手袋の長手方向に延びるように設けられていることを特徴とする介護用手袋が開示されている。
【０００４】
そして、この技術によれば、介護者が装着して用いることにより、被介護者の身体を起こしたり支えたりする際に、介護者が被介護者の背中の下や後ろに手を挿入しやすく、介護作業の労力を低減することができるとされている。
【先行技術文献】
【特許文献】
【０００５】
【特許文献１】特開２０１５−３０９３９号公報
【考案の概要】
【考案が解決しようとする課題】
【０００６】
しかしながら、上記一般的な介助用グローブや、特許文献１記載の介護用手袋は、確かに、ある程度、介助作業を安全、且つ、楽に行うことはできるが、内部に腕を入れた状態で作業をしている際に、腕の位置が安定せず、グローブや手袋から、腕が抜けやすいといった指摘があった。
【０００７】
また、被介護者とベッドの間に腕を入れ込む際に、そのスムーズさを追求する構造や形状が重要なものとなるが、上記技術では、需用者の高い期待に応えるには、更なる改良が必要とされていた。
【０００８】
本考案は、上述の課題を解決するためのもので、内部に腕を入れた状態で腕の位置を安定させることで、グローブから腕が抜けにくいものとし、被介護者とベッドの間に腕をよりスムーズに入れ込むことができる介助用グローブを提供するものである。
【課題を解決するための手段】
【０００９】
上記課題に対応するため、本考案は、以下の技術的手段を講じている。
即ち、請求項１記載の考案は、一端側のみが開口し、当該開口部分から内部に腕を挿入することで、少なくとも肘部近傍までを覆うことができる細長い介助用グローブにおいて、当該介助用グローブは、他端側先端に、所定範囲に渡って、フラップ部が形成されていることを特徴とする介助用グローブである。
【００１０】
そして、請求項２記載の考案は、請求項１記載の介助用グローブであって、前記介助用グローブは、他端側近傍の内部に、前記開口部分から腕を挿入した際に、その挿入方向から任意の指を挿置可能とする内ポケット部が形成されていることを特徴としている。
【００１１】
また、請求項３記載の考案は、請求項１又は２記載の介助用グローブであって、前記フラップ部は、その外縁が円弧状に形成されていることを特徴としている。
【考案の効果】
【００１２】
本考案によれば、被介護者とベッドの間に腕を入れ込む際に、スムーズにその作業を行うことができ、また、内部に腕を入れた状態で腕の位置を安定させることで、グローブから腕が抜けにくくなる。その結果、介護者と、被介護者の双方にとって快適なものとなり、且つ、負担の軽減にもつながることとなる。
【図面の簡単な説明】
【００１３】
【図１】本考案に係る介助用グローブの第１の実施形態を示した平面図である。
【図２】本考案に係る介助用グローブの第１実施形態に腕を挿入した状態を示したもので、（ａ）は平面図、（ｂ）は側面図である。
【図３】本考案に係る介助用グローブの第１の実施形態に腕を挿入した状態で、被介護者とベッドの間に腕を入れ込む動作を示した側面図で、（ａ）は入れ込む直前、（ｂ）は入れ込んだ直後を表したものである。
【図４】本考案に係る介助用グローブの第２の実施形態を示した平面図である。
【図５】本考案に係る介助用グローブの第２実施形態に腕を挿入した状態を示したもので、（ａ）は平面図、（ｂ）は側面図である。
【図６】本考案に係る介助用グローブの第２の実施形態に腕を挿入した状態で、被介護者とベッドの間に腕を入れ込む動作を示した側面図で、（ａ）は入れ込む直前、（ｂ）は入れ込んだ直後を表したものである。
【図７】本考案に係る介助用グローブの第３の実施形態を示した平面図である。
【図８】本考案に係る介助用グローブの第３実施形態に腕を挿入した状態を示したもので、（ａ）は平面図、（ｂ）は側面図である。
【図９】本考案に係る介助用グローブの第３の実施形態に腕を挿入した状態で、被介護者とベッドの間に腕を入れ込む動作を示した側面図で、（ａ）は入れ込む直前、（ｂ）は入れ込んだ直後を表したものである。
【図１０】一般的な介助用グローブに腕を挿入した状態を示したもので、（ａ）は平面図、（ｂ）は側面図である。
【考案を実施するための形態】
【００１４】
以下、本考案に係る介助用グローブの第１の実施形態について、図面を参照しながら説明する。
図１は、本考案に係る介助用グローブの第１の実施形態を示した平面図で、図２は、本考案に係る介助用グローブの第１実施形態に腕を挿入した状態を示したもので、（ａ）は平面図、（ｂ）は側面図である。さらに、図３は、本考案に係る介助用グローブの第１の実施形態に腕を挿入した状態で、被介護者とベッドの間に腕を入れ込む動作を示した側面図で、（ａ）は入れ込む直前、（ｂ）は入れ込んだ直後を表したものである。符号については、１０が介助用グローブ、１２が開口部、１４がフラップ部、１６が腕、１８が肘、２０が指、２２が被介護者、２４がベッドを示している。
【００１５】
まず、本実施形態における介助用グローブ１０は、図１及び２に示すように、一端のみが開口し、開口部１２から内部に腕１６を挿入することで、少なくとも肘１８の近傍までを覆うことができる細長い形状で、他端側先端の外縁に、所定範囲に渡って、フラップ部１４が形成されているものである。なお、本実施形態においては、フラップ部１４の外縁は、円弧状に形成されている。
【００１６】
具体的には、図２に示すように、介助用グローブ１０は、その開口部１２から介護者等の使用者の腕１６を挿入することにより用いられるもので、一般的な使用者の腕の太さに対応できる程度の幅で、腕１６を挿入した際、肘１８近傍まで覆うことができる程度の長さとなっている。
【００１７】
そして、本実施形態における介助用グローブ１０は、例えば、図３に示すように、ベッド２４と、ベッド２４上に寝ている被介護者２２の隙間に腕１６を入れ込み、体位変換や、背抜き等の介助作業を行う際に用いることが効果的である。（ａ）に示すように、介助用グローブ１０に挿入した腕１６をベッド２４と、被介護者２２の隙間に入れ込む時、まず、介助用グローブ１０の先端に形成されているフラップ部１４がベッド２４や、被介護者２２の体に触れ、（ｂ）に示すように、腕１６を入れ込む方向とは逆の方向へと巻き返すようになる。
【００１８】
このようにフラップ部１４が巻き返ると、巻き返ったフラップ部１４が、被介護者２２の背面側や、ベッド２４の表面側を滑り、よりスムーズに、介助用グローブ１０に挿入された腕１６が、ベッド２４と、被介護者２２の隙間へと入れ込まれるといった優れた効果が生じることになる。なお、本図では、フラップ部１４は、下側に巻き返っているが、これは上側に巻き返っても良く、その方向は、本考案を限定するものではない。
【００１９】
また、本実施形態では、フラップ部１４の外縁は、円弧状となっているが、実際の介助用グローブ１０の使用現場では、被介護者２２の頭側から足側に向かって介助用グローブ１０が使用される（入れ込まれる）ことが多く、手のひらを被介護者２２の背中側に対向させた際に、一番最初に挿入される小指側の面積が大きいほどより入れ込みがスムーズなものとなるため、フラップ部１４を例えば、全体的に四角形状とすることで、なるべく、小指側に該当する部分の面積を確保しておくことが好ましい。さらに、使いやすさという点で、フラップ部１４の外縁の一方の角部（つまり、親指側）をＲ形状に面取りしておくことが好ましい。
【００２０】
また、フラップ部１４は、介助用グローブ１０の他端側の先端をプレス加工により形成させることが、製造コスト等の面で、非常に好ましい。また、材質に、低密度ポリエチレンを選択することで、介助作業時の雑音を極力抑えることも可能となる。さらに、材質に、ナイロンを選択すれば、複数回の使用にも耐え得る介助用グローブを提供することができる。
【００２１】
続いて、本考案に係る介助用グローブの第２の実施形態について、図面を参照して説明する。
図４は、本考案に係る介助用グローブの第２の実施形態を示した平面図で、図５は、本考案に係る介助用グローブの第２の実施形態に腕を挿入した状態を示したもので、（ａ）は平面図、（ｂ）は側面図である。さらに、図６は、本考案に係る介助用グローブの第２の実施形態に腕を挿入した状態で、被介護者とベッドの間に腕を入れ込む動作を示した側面図で、（ａ）は入れ込む直前、（ｂ）は入れ込んだ直後を表したものである。符号については、２６が内ポケットを示す以外は、図１〜３と同様である。
【００２２】
まず、本実施形態における介助用グローブ１０は、図４及び５に示すように、一端のみが開口し、開口部１２から内部に腕１６を挿入することで、少なくとも肘２０の近傍までを覆うことができる細長い形状で、他端近傍の内部に、開口部１２から腕１８を挿入した際に、その挿入方向から任意の指２２（図では、親指を除く４本）を挿置可能とする内ポケット１４が形成されており、且つ、他端側先端の外部に、所定範囲に渡って、フラップ部１６が形成されているものである。
【００２３】
具体的には、図５に示すように、介助用グローブ１０は、その開口部１２から介護者等の使用者の腕１６を挿入することにより用いられるもので、一般的な使用者の腕の太さに対応できる程度の幅で、腕１６を挿入した際、肘１８近傍まで覆うことができる程度の長さとなっている。
【００２４】
さらに、介助用グローブ１０は、他端近傍の内部に、指２０を挿置することができる内ポケット２６が形成されている。なお、図中では、内部のうち、手の甲側と対面する側に形成されている）。使用者が腕１６を挿入した際に、指２０をこの内ポケット２６に入れることで、腕１６の位置が安定し、さらに、腕１６が、介助用グローブ１０から抜け出てしまうことを抑えることが可能となるわけである。
【００２５】
また、内ポケット２６に、親指を除く指を挿置させ、そして、親指と人差し指等で、内ポケット２６の仕切りを挟むようにすれば、より腕１６が介助用グローブ１０から抜けにくくなる。
【００２６】
そして、本実施形態における介助用グローブ１０は、例えば、図６に示すように、ベッド２４と、ベッド２４上に寝ている被介護者２２の隙間に腕１６を入れ込み、体位変換や、背抜き等の介助作業を行う際に用いることが効果的である。（ａ）に示すように、介助用グローブ１０に挿入した腕１６をベッド２４と、被介護者２２の隙間に入れ込む時、まず、介助用グローブ１０の先端に形成されているフラップ部１４がベッド２４や、被介護者２２の体に触れ、（ｂ）に示すように、腕１６を入れ込む方向とは逆の方向へと巻き返すようになる。
【００２７】
このようにフラップ部１４が巻き返ると、巻き返ったフラップ部１４が、被介護者２２の背面側や、ベッド２４の表面側を滑り、よりスムーズに、介助用グローブ１０に挿入された腕１６が、ベッド２４と、被介護者２２の隙間へと入れ込まれるといった優れた効果が生じることになる。なお、本図では、フラップ部１４は、下側に巻き返っているが、これは上側に巻き返っても良く、その方向は、本考案を限定するものではない。
【００２８】
また、本実施形態では、図４、５に示すように、フラップ部１４は、その外縁の一方の角部（つまり、親指側）がＲ形状に面取りされている四角形状となっている。実際の介助用グローブ１０の使用現場では、被介護者２２の頭側から足側に向かって介助用グローブ１０が使用される（入れ込まれる）ことが多く、手のひらを被介護者２２の背中側に対向させた際に、一番最初に挿入される小指側の面積が大きいほどより入れ込みがスムーズなものとなるため、このような形状としておくことが望ましい。
【００２９】
また、フラップ部１４は、介助用グローブ１０の他端側の先端をプレス加工により形成させることが、製造コスト等の面で、非常に好ましい。また、材質に、低密度ポリエチレンを選択することで、介助作業時の雑音を極力抑えることも可能となる。さらに、材質に、ナイロンを選択すれば、複数回の使用にも耐え得る介助用グローブを提供することができる。
【００３０】
続いて、本考案に係る介助用グローブの第３の実施形態について、図面を参照して説明する。
図７は、本考案に係る介助用グローブの第３の実施形態を示した平面図で、図８は、本考案に係る介助用グローブの第３の実施形態に腕を挿入した状態を示したもので、（ａ）は平面図、（ｂ）は側面図である。さらに、図９は、本考案に係る介助用グローブの第３の実施形態に腕を挿入した状態で、被介護者とベッドの間に腕を入れ込む動作を示した側面図で、（ａ）は入れ込む直前、（ｂ）は入れ込んだ直後を表したものである。符号については、図４〜６と同様である。
【００３１】
まず、本実施形態における介助用グローブ１０は、図７及び８に示すように、一端のみが開口し、開口部１２から内部に腕１６を挿入することで、少なくとも肘２０の近傍までを覆うことができる細長い形状で、他端近傍の内部に、開口部１２から腕１８を挿入した際に、その挿入方向から任意の指２２（図では、親指を除く４本）を挿置可能とする内ポケット１４が形成されており、且つ、他端側先端の外部に、所定範囲に渡って、フラップ部１６が形成されているものである。
【００３２】
具体的には、図８に示すように、介助用グローブ１０は、その開口部１２から介護者等の使用者の腕１６を挿入することにより用いられるもので、一般的な使用者の腕の太さに対応できる程度の幅で、腕１６を挿入した際、肘１８近傍まで覆うことができる程度の長さとなっている。
【００３３】
さらに、介助用グローブ１０は、他端近傍の内部に、指２０を挿置することができる内ポケット２６が形成されている。なお、図中では、内部のうち、手の甲側と対面する側に形成されている）。使用者が腕１６を挿入した際に、指２０をこの内ポケット２６に入れることで、腕１６の位置が安定し、さらに、腕１６が、介助用グローブ１０から抜け出てしまうことを抑えることが可能となるわけである。
【００３４】
また、内ポケット２６に、親指を除く指を挿置させ、そして、親指と人差し指等で、内ポケット２６の仕切りを挟むようにすれば、より腕１６が介助用グローブ１０から抜けにくくなる。
【００３５】
そして、本実施形態における介助用グローブ１０は、例えば、図９に示すように、ベッド２４と、ベッド２４上に寝ている被介護者２２の隙間に腕１６を入れ込み、体位変換や、背抜き等の介助作業を行う際に用いることが効果的である。（ａ）に示すように、介助用グローブ１０に挿入した腕１６をベッド２４と、被介護者２２の隙間に入れ込む時、まず、介助用グローブ１０の先端に形成されているフラップ部１４がベッド２４や、被介護者２２の体に触れ、（ｂ）に示すように、腕１６を入れ込む方向とは逆の方向へと巻き返すようになる。
【００３６】
このようにフラップ部１４が巻き返ると、巻き返ったフラップ部１４が、被介護者２２の背面側や、ベッド２４の表面側を滑り、よりスムーズに、介助用グローブ１０に挿入された腕１６が、ベッド２４と、被介護者２２の隙間へと入れ込まれるといった優れた効果が生じることになる。なお、本図では、フラップ部１４は、下側に巻き返っているが、これは上側に巻き返っても良く、その方向は、本考案を限定するものではない。
【００３７】
また、本実施形態では、フラップ部１４の外縁は、円弧状となっているが、実際の介助用グローブ１０の使用現場では、被介護者２２の頭側から足側に向かって介助用グローブ１０が使用される（入れ込まれる）ことが多く、手のひらを被介護者２２の背中側に対向させた際に、一番最初に挿入される小指側の面積が大きいほどより入れ込みがスムーズなものとなるため、フラップ部１４を例えば、全体的に四角形状とすることで、なるべく、小指側に該当する部分の面積を確保しておくことが好ましい。さらに、使いやすさという点で、フラップ部１４の外縁の一方の角部（つまり、親指側）をＲ形状に面取りしておくことが好ましい。
【００３８】
また、フラップ部１４は、介助用グローブ１０の他端側の先端をプレス加工により形成させることが、製造コスト等の面で、非常に好ましい。また、材質に、低密度ポリエチレンを選択することで、介助作業時の雑音を極力抑えることも可能となる。さらに、材質に、ナイロンを選択すれば、複数回の使用にも耐え得る介助用グローブを提供することができる。
【符号の説明】
【００３９】
１０  介助用グローブ
１２  開口部
１４  フラップ部
１６  腕
１８  肘
２０  指
２２  被介護者
２４  ベッド
２６  内ポケット
【図１】
0003200801.tif 000003
【図２】
0003200801.tif 000004
【図３】
0003200801.tif 000005
【図４】
0003200801.tif 000006
【図５】
0003200801.tif 000007
【図６】
0003200801.tif 000008
【図７】
0003200801.tif 000009
【図８】
0003200801.tif 000010
【図９】
0003200801.tif 000011
【図１０】
0003200801.tif 000012